(57)【要約】      （修正有）【課題】内容物の吐出可能状態とロック状態を簡単な操作で切り替えできる使い勝手のよい吐出器を提案する。【解決手段】複数本の容器Ａ〜Ｃのうちの少なくとも１つを選択して該容器の内容物を吐出させる吐出器を、各容器を一括して固定保持するホルダー２と、容器の各々のヘッドに配置される吐出ノズル３ａ〜３ｃと、ホルダーに移動可能に嵌合保持され各容器の吐出ノズルを肩部とともに覆い隠すカバー４と、このカバーに片持ち状態で弾性保持され、カバーの移動による位置合わせにより各容器のうちの一つを選択するとともにその選択された容器の吐出ノズルを押圧して容器内の内容物を吐出させる押しレバー５とで構成する。ホルダーに、吐出ノズルを押圧する向きに誘導するガイド６と、このガイドの相互間に位置し前記カバーの移動による位置合わせにより押しレバーの押圧を阻止するストッパー７を設ける。【選択図】図１
2005096834.tif 000002
【特許請求の範囲】
【請求項１】
複数本の容器のうちの少なくとも１つを選択して該容器の内容物を吐出させる吐出器であって、
各容器を一括して固定保持するホルダーと、容器の各々のヘッドに配置される吐出ノズルと、前記ホルダーに移動可能に嵌合保持され各容器の吐出ノズルを肩部とともに覆い隠すカバーと、このカバーに片持ち状態で弾性保持され該カバーの移動による位置合わせにて各容器のうちの一つを選択するとともにその選択された容器の吐出ノズルを押圧して容器内の内容物を吐出させる押しレバーとを備え、
前記ホルダーは、前記吐出ノズルを押圧する向きに誘導するガイドと、このガイド相互間に位置し前記カバーの移動による位置合わせにて押しレバーの押圧を阻止するストッパー有することを特徴とする吐出器。
【請求項２】
前記カバーは、内容物を吐出させる窓孔を有する請求項１記載の吐出器。
【請求項３】
前記カバーは、ホルダーの軸心を中心に回転移動するものである請求項１又は２記載の吐出器。
【請求項４】
前記容器は、容器の各肩部にそれぞれ装着されたジョイントを介してホルダーに固定保持されるものである請求項１〜３の何れかに記載の吐出器。
【発明の詳細な説明】
【技術分野】
【０００１】
本発明は、エアゾール容器やディスペンサー（スプレーポンプ等）付きの容器を複数本ひとまとめにしてその中から必要な容器を簡単な操作でもって適宜選択して内容物を吐出させることができる吐出器に関するものである。
【背景技術】
【０００２】
エアゾール容器やディスペンサー付きの容器は、普通、単品で取り扱われており、吐出ノズルを保護するオーバーキャップや内容物の不用意な排出を防止するストッパー等もそれぞれ容器毎に個別に備え付けられている。
【０００３】
ところで、この種の容器は、使用する度にキャップやストッパー（ロック部材）を取り外す必要がありその着脱が煩わしく、また、かかる部材を紛失してしまうこともしばしばあって使い勝手がよくないところに問題を残していた。
【０００４】
なお、この点に関する従来技術としては、ノズルヘッドに乗り上げ部を形成するとともに、組付き体に係合部を形成してロック機構を形成し、ロック状態で、乗り上げ部を係合部に乗り上げることによって、ノズルヘッドの筒片と容器本体の注出ノズルとの対向面間に充分な隙間を形成し、ノズルヘッドおよび組付き部に不正な撓み変形が発生しても、注出ノズルが押し下げられて内容物を漏出させるのを防ぐ構造のものが知られている（例えば特許文献１）が、これらの機構は容器毎に組み込まれるものであるから、ロックの切り替えは容器のそれぞれについて行わなければならず使い勝手の面からは何ら改善がなされていない。
【特許文献１】特開平５−２８５４２８号公報
【発明の開示】
【発明が解決しようとする課題】
【０００５】
本発明の課題は、キャップやロックの取り外し、取り付けに手間がかからず、簡単な操作で内容物の吐出可能状態、ロック状態を切り替えできる使い勝手のよい吐出器を提案するところにある。
【課題を解決するための手段】
【０００６】
本発明は、複数本の容器のうちの少なくとも１つを選択して該容器の内容物を吐出させる吐出器であって、
各容器を一括して固定保持するホルダーと、容器の各々のヘッドに配置される吐出ノズルと、前記ホルダーに移動可能に嵌合保持され各容器の吐出ノズルを肩部とともに覆い隠すカバーと、このカバーに片持ち状態で弾性保持され該カバーの移動による位置合わせにて各容器のうちの一つを選択するとともにその選択された容器の吐出ノズルを押圧して容器内の内容物を吐出させる押しレバーとを備え、
前記ホルダーは、前記吐出ノズルを押圧する向きに誘導するガイドと、このガイド相互間に位置し前記カバーの移動による位置合わせにて押しレバーの押圧を阻止するストッパー有することを特徴とする吐出器である。
【０００７】
上記の構成になる吐出器において、前記カバーは、内容物を吐出させる窓孔を有するものが好ましい。
【０００８】
また、前記カバーは、ホルダーの軸心を中心に回転移動するものが本発明にとくに有利に適合する。
【０００９】
さらには、前記容器は、容器の各肩部にそれぞれ装着されたジョイントを介してホルダーに固定保持することができる。
【発明の効果】
【００１０】
複数本の容器をひとまとめにしてホルダーに固定保持し、カバーの移動による位置合わせにて吐出させるべき容器の一つを選択して内容物を吐出させるようにしたので、各容器毎にキャップやロック部材を設ける必要がなく、その取り付け、取り外しにかかる作業が不要で使い勝手が格段に改善される。
【発明を実施するための最良の形態】
【００１１】
以下、図面用いて本発明をより具体的に説明する。
【実施例１】
【００１２】
図１〜６は種類の異なる内容物を充填した３本のエアゾール容器をひとまとめにしてこのうちの１つを適宜に選択して内容物を吐出するようにした本発明に従う合成樹脂製の吐出器の実施の形態を示したものであり、図１は外観斜視図であり、図２には分解状態を示した図であり、図３はホルダーの裏側の外観斜視図、図４はカバーの裏側の外観斜視図、さらに図５（ａ）（ｂ）は内容物の吐出可能状態における吐出器の平面及び断面図であり、図６（ａ）（ｂ）はロック状態における吐出器の平面及び断面図である。
【００１３】
図における１は容器Ａ、Ｂ、Ｃの各肩部に装着されたジョイント（図２、図５、図６参照）、２はジョイント１を介して各容器Ａ〜Ｃを一括して着脱自在に固定保持するホルダー、３ａ〜３ｃは容器Ａ〜Ｃの各々のヘッドに配置される吐出ノズル、４は容器Ａ〜Ｃの吐出ノズル３ａ〜３ｃを覆い隠すカバーである。このカバー４はホルダー２に移動可能（軸心の周りに回動可能）でかつ着脱自在に嵌合保持（アンダーカット等の係合手段による）されており、その壁面の内側にはホルダー２の外周壁の凹部２ａ〜２ｆに適合して位置決めする縦リブ４ａ（図３参照）と吐出ノズル３ａ〜３ｃの何れかを外界へ向けて露出させて内容物の吐出を可能とする窓孔４ｂが設けられている。
【００１４】
また、５はカバー４の天面でそれと一体的に成形された押しレバーであり、この押しレバー５は片持ち状態で弾性保持されるものであり、その裏面には吐出ノズル３ａ〜３ｃの天面中央部に接触してそれを押圧することができる突起５ａを有している（図４、図５（ｂ）参照）。
【００１５】
さらに、図における６はホルダー２に一体的に設けられ吐出ノズル３ａ〜３ｃを押圧する向きに誘導する筒状のガイド（図２参照）、７はガイド６の相互間でホルダー２に一体的に設けられたＨ形断面になるストッパー（図２参照）、８は容器Ａ〜Ｃを挿通させる開口を有しホルダー２の底部に着脱自在に保持される底蓋（図２参照）である。
【００１６】
容器Ａの内容物を吐出させるべく、その吐出ノズル３ａを図５（ａ）（ｂ）に示す如く窓孔４ｂより外界へ向けて露出させると、カバー４の縦リブ４ａはその対向位置に設けられた凹部２ｄに適合して位置決めされ、ここで押しレバー５を押圧することで容器Ａ内の内容物が吐出ノズル３ａを通して排出することになり、カバー４を随時、回動させて各容器の吐出ノズルが窓孔４ｂより露出するように選択的に位置合わせすることで各容器の内容物の吐出が可能になる。
【００１７】
容器Ａ〜Ｃにおける内容物の吐出を不能とすべくロック状態に保持するには、カバー４を回動させて吐出ノズル３ａ〜３ｃの何れもが窓孔４ｂから露出しないようにカバー４の縦リブ４ａをホルダー２の凹部２ａ、２ｃ、２ｅの何れかに適合させる位置合わせを行う。
【００１８】
そうすると、押しレバー５は図６（ａ）（ｂ）に示す状態となり、この状態で押しレバー５を押圧しても突起５ａはストッパー７の突端に当接してそれ以上押圧することができず、容器Ａ〜Ｃの何れからも内容物が吐出することはない。
【００１９】
内容物の吐出が可能な状態にあるか、あるいはロック状態にあるか目視でもって把握できるように、カバー４の外壁に凸部９（例えば数字やアルファベット等、図１参照）を、また、ホルダー２の外壁に凸状の記号１０（例えば数字やアルファベット等、図１参照）を設けて位置合わせを行うようにしてもよい。
【００２０】
本発明の実施の形態では、３本の容器をひとまとめにしてそれぞれの容器の一つを選択して内容物を吐出させる場合について示したが、容器は２本あるいはそれ以上固定保持できる構造としてもよく、この点については限定されない。
【００２１】
また、容器Ａ〜Ｃがエアゾール容器である場合、押しレバー５を押している限り内容物の吐出が可能であるが、該容器は縦型のディスペンサー（ポンプ・スプレー等）を備えたものを適用することもでき、この場合、押しレバー５は複数回にわたって押圧することで内容物の継続的な吐出が可能になる。
【００２２】
さらに、本発明の実施の形態では、ホルダー２を円形にしてカバー４を該ホルダー２の周りで回動させる構造として示したが、カバー４をホルダー２において直線的に移動するものであってもよく、カバー４の移動形式は内容物の種類や用途に応じて適宜に変更し得る。
【００２３】
さらにまた、本発明の実施の形態では、ジョイント１を介して各容器をホルダー２に固定保持する構造として示したが、ジョイント１を使用せず各容器を直接ホルダー２に固定保持するようにしてもよく、ジョイント１の有無にかかわらずその固定方法もアンダーカットや螺合等が適宜選択可能である。
【産業上の利用可能性】
【００２４】
従来、容器のそれぞれに個別に取り付けられていたオーバーキャップやロック部材が不要なのでその取り付けや取り外しにかかる作業が省略できるとともに、カバーを回動させて位置合わせを行うのみで各容器から内容物の吐出を可能、ロック状態に切り替えることができ操作が簡単で使い勝手がよい。
【図面の簡単な説明】
【００２５】
【図１】本発明に従う吐出器の外観斜視図である。
【図２】図１に示した吐出器の分解状態を示した図である。
【図３】ホルダーの裏側の外観斜視図である。
【図４】カバーの裏側の外観斜視図である。
【図５】図１に示した吐出器において内容物の吐出が可能な状態を示した図であり、（ａ）は平面図、（ｂ）は（ａ）のＸ−Ｘ断面図である。
【図６】図１に示した吐出器において内容物の吐出を不可としたロック状態を示した図であり、（ａ）は平面図、（ｂ）は（ａ）のＹ−Ｙ断面図である。
【符号の説明】
【００２６】
１  ジョイント
２  ホルダー
２ａ〜２ｆ  凹部
３ａ〜３ｃ  吐出ノズル
４  カバー
４ａ  縦リブ
４ｂ  窓孔
５  押しレバー
６  筒状のガイド
７  ストッパー
８  底蓋
９  凸部
１０  記号
【図１】
2005096834.tif 000003
【図２】
2005096834.tif 000004
【図３】
2005096834.tif 000005
【図４】
2005096834.tif 000006
【図５】
2005096834.tif 000007
【図６】
2005096834.tif 000008